(57)【要約】【課題】  回転軸が大きな力で引っ張られても抜けることのない回転型電気部品を提供する。【解決手段】  回転軸６を回転可能に保持する軸受け部９ｂを有するハウジング１、９と、回転軸６の回転に伴い回転する回転体７とを有し、回転軸６に、回転軸６の軸線方向と交差する方向で外方へ突出した突出部６ｊを設け、回転体７には、回転軸６の軸線方向に貫通する中央貫通孔７ｃと、中央貫通孔７ｃに連続して回転軸６の突出部６ｊを挿通可能な貫通凹部７ｄと、貫通凹部７ｄと回転軸６の回転中心に対して所定の角度を有すると共に、回転軸６が軸受け部９ｂから外部へ突出する前方側に係止壁部７ｆを有する係合凹部７ｅとを設け、回転軸６を回転体７の前方側から中央貫通孔７ｃに挿通し、突出部６ｊを貫通凹部７ｄに挿通すると共に、回転軸６を所定の角度回転させ、回転軸６の突出部６ｊを係止壁部７ｆに係止可能な状態で係合凹部ｅに係合させた。【選択図】        図４
2007201415.tif 000002
【特許請求の範囲】
【請求項１】
回転軸と、この回転軸を回転可能に保持する軸受け部を有するハウジングと、前記回転軸の回転に伴い回転する回転体と、前記回転軸の回転を検出する摺動子及び導電パターンからなる回転検出手段とを備え、前記回転軸に、該回転軸の軸線方向と交差する方向で外方へ突出した突出部を設け、前記回転体には、前記回転軸の軸線方向に貫通する中央貫通孔と、該中央貫通孔に連続して前記回転軸の突出部を挿通可能な貫通凹部と、この貫通凹部と前記回転軸の回転中心に対して所定の角度を有すると共に、前記回転軸が前記軸受け部から外部へ突出する前方側に係止壁部を有する係合凹部とを設け、前記回転軸を前記回転体の前方側から前記中央貫通孔に挿通し、前記突出部を前記貫通凹部に挿通すると共に、前記回転軸を所定の角度回転させ、前記回転軸の前記突出部を前記係止壁部に係止可能な状態で前記係合凹部に係合させたことを特徴とする回転型電気部品。
【請求項２】
前記回転体は、前記中央貫通孔が設けられた筒状のガイド筒部を有し、前記ガイド筒部に前記係合凹部の前記係止壁部を形成したことを特徴とする請求項１記載の回転型電気部品。
【請求項３】
前記回転軸を軸線方向に移動可能に設けると共に、該回転軸を軸線方向に押圧することにより操作されるプッシュスイッチを備え、前記回転軸の前記突出部と前記回転体の前記係合凹部とが互いに係合する係合面の軸線方向における係合寸法を、前記プッシュスイッチの操作ストロークよりも大きく形成したことを特徴とする請求項１、又は２記載の回転型電気部品。
【請求項４】
前記回転軸の突出部を回転軸の回転中心を挟んで対向する位置に一対設けると共に、前記回転体の貫通凹部と係合凹部とを、一対の前記突出部に対応させてそれぞれ対向する位置に一対設けたことを特徴とする請求項１乃至３の何れかに記載の回転型電気部品。
【請求項５】
前記回転軸は、前記回転体の前記中央貫通孔に挿通され、前記回転軸の前記突出部が前記回転体の前記係合凹部に係合されて、前記回転体が前記回転軸の回転に伴い回転可能に保持されると共に、前記回転軸の突出部が前記係合凹部内を前記回転軸の軸線方向に移動可能に設けられたことを特徴とする請求項１乃至４の何れかに記載の回転型電気部品。
【請求項６】
前記回転体には、前記回転軸を回転させる周方向に沿って前記貫通凹部と前記係合凹部との間に、前記貫通凹部に挿通された前記回転軸を所定角度回転させた時に前記突出部と当接して前記回転軸の回転を規制する規制部を設けたことを特徴とする請求項１乃至５の何れかに記載の回転型電気部品。
【請求項７】
前記規制部は、前記回転軸の軸線方向に延びる凸部からなり、前記貫通凹部と前記係合凹部との中間位置の全領域にわたって設けられたことを特徴とする請求項６記載の回転型電気部品。
【発明の詳細な説明】
【技術分野】
【０００１】
本発明は、回転型電気部品に係り、特に回転軸の軸線方向の移動動作と回転動作によりプッシュスイッチとパルススイッチ等を操作するプッシュスイッチ付きのものに適した回転型電気部品に関する。
【背景技術】
【０００２】
従来の回転型電気部品の構造としては、操作軸の軸線方向の移動動作でスイッチをオン、オフさせるプッシュスイッチを備え、操作軸の回転動作によりパルススイッチ、あるいは可変抵抗器等の回転型電気部品を操作するようにした構造のものが知られている（例えば、特許文献１参照）。
【０００３】
この従来の回転型電気部品の構造を図１７、図１８に示す。図１７は従来の回転型電気部品の断面図、図１８は駆動体と操作軸の分解斜視図である。
【０００４】
図において、回転型電気部品Ｄはパルススイッチを例に示しており、コップ状の取付基体３１は、円形の孔３１ａを有する底壁３１ｂと、凹部３１ｃを有する側壁３１ｄとを有している。また、取付基体３１には、凹部３１ｃ内の底壁３１ｂの上面に一部が露出し、また、一部が側壁３１ｄから外部に突出するように、薄い金属板から成る複数個の導電板３２が埋設されている。
【０００５】
また、駆動体３３は、非円形の孔３３ａを有する筒状部３３ｂと、筒状部３３ｂの後端に孔３３ａを横切るように設けられた受け部３３ｃと、受け部３３ｃに設けられた小孔３３ｄと、孔３３ａと連通して設けられた一対の切り欠き部３３ｅと、孔３３ａの壁面の一部が内方に突出して形成された一対の係止部３３ｆと、筒状部３３ｂの外周に設けられた円形状の鍔部３３ｇと、鍔部３３ｇの前面に設けられた凹凸部３３ｈを備えている。また、駆動体３３の一対の切り欠き部３３ｅと係止部３３ｆは、軸線方向において対向して形成されていると共に、この駆動体３３の鍔部３３ｇの後面には、摺動子３４が取り付けられている。そして、この駆動体３３は、取付基体３１の凹部３１ｃ内に鍔部３３ｇを位置させると共に、筒状部３３ｂの後端を孔３１ａに挿通して、取付基体３１に回転可能に取り付けられると共に、駆動体３３に取り付けられた摺動子３４が導電板３２に接離して、接点の切り換えを行ってパルススイッチを構成している。
【０００６】
リンク状の板バネ３５は、取付基体３１の凹部３１ｃを塞ぐように、取付基体３１と鍔部３３ｇの前面に配置され、板バネ３５の弾性片３５ａが駆動体３３の凹凸部３３ｈに係脱して、回転時のクリック動作を生起している。また、前面板３６は、平板部３６ａと、筒部３６ｂとを有し、この前面板３６の平板部３６ａは板バネ３５上に載置され、前面板３６と板バネ３５は、取付基体３１に適宜手段により固定されている。
【０００７】
操作軸３７は、軸線Ｓ上に設けられた柱状部３７ａと、軸線Ｓ方向の割溝３７ｂを設けて成る一対の取付脚３７ｃと、段部３７ｄとを備えている。この操作軸３７の取付は、柱状部３７ａ側から前面板３６の筒部３６ｂ、駆動体３３の筒状部３３ｂの孔３３ａに挿入し、操作軸３７の取付脚３７ｃが係止部３３ｆに当接すると、取付脚３７ｃは内方に撓み、更に、操作軸３７の挿入を続けると、取付脚３７ｃは係止部３３ｆを乗り越えて、バネ性で元の状態に戻る（スナップ止め）と共に、その取付脚３７ｃの先端部が切り欠き部３３ｅ内に挿入され、且つ、柱状部３７ａが受け部３３ｃの小孔３３ｄに挿通されて、操作軸３７が駆動体３３に取り付けられる。
【０００８】
即ち、駆動体３３にスナップ止めされた操作軸３７は、操作軸３７を押し圧すると、非円形の孔３３ａによって直進移動し、段部３７ｄが駆動体３３の端部にぶつかってその移動が停止し、また、操作軸３７が押し圧前の状態に戻された際は、取付脚３７ｃが係止部３３ｆに掛け止めされて、それ以上の移動が阻止されるようになっている。また、操作軸３７は、筒部３６ｂと受け部３３ｃの２点で回転可能に支持されている。このようにして、駆動体３３に取り付けられた操作軸３７は、回転動作と軸線Ｓ方向の移動動作が可能で、回転動作により駆動体３３を回転するようになっている。
【０００９】
また、取付基体３１の後部には、固定接点３８、３９を埋設した絶縁体４０が取り付けられ、この絶縁体４０の内部には、皿状の可動接点４１が配設されている。可動接点４１は、周辺部が固定接点３９に常時接触し、中央部は操作軸３７の柱状部３７ａに当接して、操作軸３７を常時前方に押し圧し、取付脚３７ｃを係止部３３ｆに係止するようになっている。固定接点３８、３９を有する絶縁体４０と、可動接点４１とでプッシュスイッチＰが構成されている。
【００１０】
操作軸３７を回転すると、駆動体３３が回転され、回転型電気部品Ｄであるパルススイッチが操作される。また、操作軸３７を軸線Ｓ方向に押し圧すると、操作軸３７の柱状部３７ａが可動接点４１を押し、この可動接点４１が固定接点３８側に移動して、可動接点４１が固定接点３８に接触し固定接点３８と３９がＯＮとなる。このようにして、回転型電気部品ＤとプッシュスイッチＰの操作を行うものである。
【００１１】
【特許文献１】特開平１１−９６８５５号公報
【発明の開示】
【発明が解決しようとする課題】
【００１２】
しかしながら、上述した従来の回転型電気部品においては、操作軸の取り付けはバネ性を有する一対の取付脚を駆動体の係止部にスナップ止めで取り付けられているため、操作軸の引き抜き方向の強度が弱く、大きな力で操作軸が引っ張られた場合には、操作軸が抜けてしまう虞があるという問題があった。
【００１３】
従って、本発明は上記した問題点を解決し、操作軸（回転軸）が大きな力で引っ張られても抜けることのない回転型電気部品を提供することを目的とする。
【課題を解決するための手段】
【００１４】
上記課題を解決するために本発明の回転型電気部品では第１の解決手段として、回転軸と、この回転軸を回転可能に保持する軸受け部を有するハウジングと、前記回転軸の回転に伴い回転する回転体と、前記回転軸の回転を検出する摺動子及び導電パターンからなる回転検出手段とを備え、前記回転軸に、該回転軸の軸線方向と交差する方向で外方へ突出した突出部を設け、前記回転体には、前記回転軸の軸線方向に貫通する中央貫通孔と、該中央貫通孔に連続して前記回転軸の突出部を挿通可能な貫通凹部と、この貫通凹部と前記回転軸の回転中心に対して所定の角度を有すると共に、前記回転軸が前記軸受け部から外部へ突出する前方側に係止壁部を有する係合凹部とを設け、前記回転軸を前記回転体の前方側から前記中央貫通孔に挿通し、前記突出部を前記貫通凹部に挿通すると共に、前記回転軸を所定の角度回転させ、前記回転軸の前記突出部を前記係止壁部に係止可能な状態で前記係合凹部に係合させた構成とした。
また、第２の解決手段として、前記回転体は、前記中央貫通孔が設けられた筒状のガイド筒部を有し、前記ガイド筒部に前記係合凹部の前記係止壁部を形成した構成とした。
【００１５】
また、第３の解決手段として、前記回転軸を軸線方向に移動可能に設けると共に、該回転軸を軸線方向に押圧することにより操作されるプッシュスイッチを備え、前記回転軸の前記突出部と前記回転体の前記係合凹部とが互いに係合する係合面の軸線方向における係合寸法を、前記プッシュスイッチの操作ストロークよりも大きく形成した構成とした。
また、第４の解決手段として、前記回転軸の突出部を回転軸の回転中心を挟んで対向する位置に一対設けると共に、前記回転体の貫通凹部と係合凹部とを、一対の前記突出部に対応させてそれぞれ対向する位置に一対設けた構成とした。
また、第５の解決手段として、前記回転軸は、前記回転体の前記中央貫通孔に挿通され、前記回転軸の前記突出部が前記回転体の前記係合凹部に係合されて、前記回転体が前記回転軸の回転に伴い回転可能に保持されると共に、前記回転軸の突出部が前記係合凹部内を前記回転軸の軸線方向に移動可能に設けられた構成とした。
【００１６】
また、第６の解決手段として、前記回転体には、前記回転軸を回転させる周方向に沿って前記貫通凹部と前記係合凹部との間に、前記貫通凹部に挿通された前記回転軸を所定角度回転させた時に前記突出部と当接して前記回転軸の回転を規制する規制部を設けた構成とした。
また、第７の解決手段として、前記規制部は、前記回転軸の軸線方向に延びる凸部からなり、前記貫通凹部と前記係合凹部との中間位置の全領域にわたって設けられた構成とした。
【発明の効果】
【００１７】
上述したように、本発明の回転型電気部品は、回転軸と、回転軸を回転可能に保持する軸受け部を有するハウジングと、回転軸の回転に伴い回転する回転体と、回転軸の回転を検出する摺動子及び導電パターンからなる回転検出手段とを備え、回転軸に、回転軸の軸線方向と交差する方向で外方へ突出した突出部を設け、回転体には、回転軸の軸線方向に貫通する中央貫通孔と、中央貫通孔に連続して回転軸の突出部を挿通可能な貫通凹部と、貫通凹部と回転軸の回転中心に対して所定の角度を有すると共に、回転軸が軸受け部から外部へ突出する前方側に係止壁部を有する係合凹部とを設け、回転軸を回転体の前方側から中央貫通孔に挿通し、突出部を貫通凹部に挿通すると共に、回転軸を所定の角度回転させ、回転軸の突出部を係止壁部に係止可能な状態で係合凹部に係合させたことから、回転軸は、回転軸の突出部が回転体の係合凹部に確実に係合して回転体と一体的に保持されているので、回転軸が大きな力で引っ張られた場合においても抜けることが無く、回転軸の引き抜き強度を向上させることができる。
また、回転体は、中央貫通孔が設けられた筒状のガイド筒部を有し、ガイド筒部に係合凹部の係止壁部を形成したことから、係止壁部の肉厚を厚く形成できるので、回転軸の抜け止めを、より確実なものとすることができる。
【００１８】
また、回転軸を軸線方向に移動可能に設けると共に、回転軸を軸線方向に押圧することにより操作されるプッシュスイッチを備え、回転軸の突出部と回転体の係合凹部とが互いに係合する係合面の軸線方向における係合寸法を、プッシュスイッチの操作ストロークよりも大きく形成したことから、プッシュスイッチの押圧動作時においても回転軸の突出部が回転体の係合凹部から外れることがなく、回転軸と回転体との結合が確実なものとなる。
また、回転軸の突出部を回転軸の回転中心を挟んで対向する位置に一対設けると共に、回転体の貫通凹部と係合凹部とを、一対の突出部に対応させてそれぞれ対向する位置に一対設けたことから、回転軸の回転を確実に回転体に伝達することができ、安定した回転操作が可能となる。また、回転軸を１８０度回転させても組み込みが可能となるため、組立が容易となり、作業性が向上する。
また、回転軸は、回転体の中央貫通孔に挿通され、回転軸の突出部が回転体の係合凹部に係合されて、回転体が回転軸の回転に伴い回転可能に保持されると共に、回転軸の突出部が係合凹部内を回転軸の軸線方向に移動可能に設けられたことから、簡単な構成で、プッシュスイッチの押圧動作と回転検出手段の回転動作とが可能となる。
【００１９】
また、回転体には、回転軸を回転させる周方向に沿って貫通凹部と係合凹部との間に、貫通凹部に挿通された回転軸を所定角度回転させた時に突出部と当接して回転軸の回転を規制する規制部を設けたことから、回転軸を回転体に組み込むために、回転軸を回転体に対して回転させるとき、所定角度回転させるとそれ以上の回転が規制されるため、回転軸が係合凹部を越えて回りすぎることがなく、回転軸を引っ張りながら回転させる必要がないので、簡単に位置合わせが行え組立性の良好なものが得られる。
また、規制部は、回転軸の軸線方向に延びる凸部からなり、貫通凹部と係合凹部との中間位置の全領域にわたって設けられたことから、回転軸を回転体の前方側から中央貫通孔に挿通した状態においては、回転軸は一方向にしか回転できないものとなり、さらに組立性が向上される。
【発明を実施するための最良の形態】
【００２０】
以下、本発明の実施の形態を図１乃至図１６に示す。図１は本発明の回転型電気部品を示す分解斜視図、図２は本発明の回転型電気部品を示す平面図、図３は本発明の回転型電気部品を示す正面図、図４は本発明の回転型電気部品を示す断面図、図５は本発明の回転型電気部品の回転軸を示す正面図、図６は図５の左側面図、図７は図５の右側面図、図８は図７の８−８線における断面図、図９は本発明の回転型電気部品の回転体を示す正面図、図１０は図９の右側面図、図１１は図１０の１１−１１線における断面図、図１２は図１０の１２−１２線における断面図、図１３は本発明の回転体の他の実施例を示す斜視図、図１４は図１３に示す回転体の側面図、図１５は図１４の１５−１５線における断面図、図１６は図１４の１６−１６線における断面図である。
【００２１】
図１に示すように本発明の回転型電気部品は、上面開口状の箱形のケース１と、このケース１に配設された固定接点２及び導電パターン３と、固定接点２及び導電パターン３と接触及び摺接する可動接点４及び摺動子５と、回転及び押圧操作可能な回転軸６と、この回転軸６の回転に伴い回転する回転体７と、この回転体７に摺動しクリック感触を生起させる板ばね８と、回転軸６を回転可能に保持する軸受け部を有し、ケース１の開口部を覆う取付板９とから主に構成されている。尚、ケース１と取付板９とにより、ハウジングが構成されている。
【００２２】
ケース１は、合成樹脂等の絶縁材で上面開口状の収納部１ａを有する箱型に形成されている。また、ケース１の対向する側面には上下に貫通する一対のガイド溝１ｂ、１ｂが設けられ、これらのガイド溝１ｂ、１ｂ内にはそれぞれ外方へ突出する係止突起１ｃ、１ｃが設けられている。また、ガイド溝１ｂ、１ｂに連通する収納部１ａの上面側（前面側）には、一対の凹溝１ｄ、１ｄが設けられ、これらの凹溝１ｄ、１ｄ内にはそれぞれ上方（前方）へ突出する突片１ｅ、１ｅが設けられている。そして、これらのガイド溝１ｂ、１ｂに後述する取付板９の取付脚部９ｄが係合され、係止突起１ｃと突片１ｅとにより位置決め係合されて、取付板９がケース１の開口状の収納部１ａを覆うように取り付けられるものとなっている。
【００２３】
また、ケース１の収納部１ａの内底面中央には、導電性の金属板をインサート成形等の方法により、その一部を表出した状態でケース１に一体に埋設して形成され、固定接点２を構成する、中央固定接点２ａと、この中央固定接点２ａを囲むように周辺固定接点２ｂとが配設されている。また、この固定接点２の外側で、収納部１ａの内底面外周部には、同じく導電性の金属板をインサート成形などの方法により、その一部を表出した状態でケース１に一体に埋設して形成され、導電パターン３を構成する、コモンパターン３ａとコードパターン３ｂとが配設されている。
【００２４】
また、ケース１の外側面には、中央固定接点２ａ及び周辺固定接点２ｂと、コモンパターン３ａ及びコードパターン３ｂと電気的に接続され、ケース１の外方へ導出する、それぞれの接続端子２ｃ及び２ｄと、接続端子３ｃ及び３ｄが突設されており、この接続端子２ｃ、２ｄ、３ｃ、３ｄが、それぞれケース１の外側面に沿って下方に折り曲げられて配設されている。
【００２５】
可動接点４は、導電性の薄板金属板からなり、中央に反転可能なドーム状の膨出部４ａを有する円板状に形成されている。この可動接点４は、ケース１の収納部１ａに配設された固定接点２上に載置され、外周縁部４ｂが周辺固定接点２ｂ上に接触すると共に、膨出部４ａの頂部下面側が中央固定接点２ａと対向して離間した状態で配設されている。この可動接点４と固定接点２とでプッシュスイッチが構成されている。
【００２６】
摺動子５は、導電性の薄板金属板からなり、環状の基部５ａと、この基部５ａの複数箇所（本実施例では３箇所）に外方に延設して形成された丸孔を有する取付片５ｂと、この取付片５ｂから環状方向に弾性を有して片持ち梁状に延設された複数の接触片５ｃとを有している。この摺動子５は、後述する回転体７の回転板部７ｂに取付片５ｂが固着されることにより、回転体７と一体的に回転可能に取り付けられるものとなっている。また、回転体７がケース１の収納部１ａに回転可能に収容された際には、摺動子５は、収納部１ａに配設された導電パターン３上に載置され、回転体７の回転に伴って、それぞれの接触片５ｃがコモンパターン３ａ及びコードパターン３ｂと摺接するものとなっている。この摺動子５と導電パターン３とでエンコーダなどの回転検出手段が構成されている。
【００２７】
図５乃至図８に示すように、回転軸６は、合成樹脂等の絶縁材からなり、後述する回転体７の中央貫通孔７ｃよりも径が大きな円柱状の太軸部６ａとこれよりもやや細い略円柱状の細軸部６ｂとが同一軸線上で軸線方向に段部６ｃを介して連接して設けられている。また、これとは対向する太軸部６ａの先端側には、平坦面６ｄを有し、この平坦面６ｄにより先端側の断面がＤ字状に形成されて円弧状部６ｅと直線状部６ｆとを有するつまみ取付部６ｇが設けられている。また、つまみ取付部６ｇの先端側には、端面から軸線方向に向かって、窪んだ中空状の中央凹部６ｈが形成されている。
【００２８】
また、中空状の中央凹部６ｈは、回転軸６の円柱状の太軸部６ａを除いたつまみ取付部６ｇの全体にわたって設けられている。すなわち、中空状の中央凹部６ｈは、回転軸６が後述する取付板９の軸受け部９ｂに軸支される太軸部６ａの一部を除いて、この軸受け部９ｂから外方へ突出する回転軸６の先端側のつまみ取付部６ｇに設けられている。そして、このつまみ取付部６ｇの先端に外装用の操作つまみ１０（図３に二点鎖線で示す）が取り付けられて、回転軸６が回転操作されるものとなっている。
【００２９】
そして、外装用の操作つまみ１０が取り付けられる回転軸６の先端側に中空状の中央凹部６ｈを設けることにより、合成樹脂の成形加工時（自然冷却時）の収縮に伴う寸法変化が少なく、回転軸６の寸法を精度良く形成でき、操作つまみ１０を取り付ける際の確実性と取付作業性を向上できるものとなっている。また、中央凹部６ｈは、回転軸６が軸受け部９ｂに軸支される部分にまで達しないような深さ寸法で軸受け部９ｂから外方へ突出する回転軸６の先端側に設けるようにしたので、回転軸６が軸受け部９ｂに軸支される部分には中空状の凹部がないので、回転軸６の軸受け部９ｂへの軸支強度を高めることが可能となっている。
【００３０】
また、中空状の中央凹部６ｈには、回転軸６の軸線を通る位置に、この中央凹部６ｈを略２等分に分割するような内壁部６ｉが設けられている。また、この内壁部６ｉは、中央凹部６ｈの対向する内側面間に設けられており、この内壁部６ｉが、Ｄ字状の断面の円弧状部６ｅと直線状部６ｆとにわたって両者間を繋ぐように設けられている。また、この内壁部６ｉは、つまみ取付部６ｇの先端側の端面から軸線方向に向かって、窪んだ位置に形成されており、この内壁部６ｉの窪んだ先端側に、回転軸６を成形加工する際のゲート（図示せず）が設けられるものとなっている。
【００３１】
このように、回転軸６の中央凹部６ｈに、回転軸６の軸線を通る位置に内壁部６ｉを設け、この内壁部６ｉを中央凹部６ｈの対向する内側面間に設けて中央凹部６ｈを分割するようにしたので、中央凹部６ｈの大きさを個々に小さくすることができ、回転軸６の全体の強度を高めることができる。また、回転軸６の先端側の断面がＤ字状に形成されていても、内壁部６ｉが、円弧状部６ｅと直線状部６ｆとにわたって両者間を繋ぐように設けるようにしたので、操作つまみ１０の取付部に変形し易い直線状の係合部が有ったとしても、変形し難い円弧状の係合部との間がこの内壁部６ｉによって連結されているので、回転軸６の強度を維持することができるものとなっている。
【００３２】
また、この内壁部６ｉは、回転軸６の先端側の端面から窪んだ位置に形成されており、内壁部６ｉの窪んだ先端側を回転軸６の成形加工時のゲート位置とすることにより、ゲート位置が回転軸６の外周部に出ることを防止でき、操作つまみ１０との取付性を良好なものとすることができる。また、回転軸６の先端側（つまみ取付部６ｇ）へのウエルドの発生を防止でき、強度を高めることができるものとなる。
【００３３】
また、回転軸６のつまみ取付部６ｇと対向する方向の細軸部６ｂの先端側には、回転軸６の軸線方向と直交して交差する方向（径方向）で外方に突出する突出部６ｊが設けられている。また、この突出部６ｊは、回転軸６の回転中心を挟んで対向する位置に一対設けられている。そして、この突出部６ｊが後述する回転体７の係合凹部７ｅと係合することで、回転軸６と回転体７がケース１に収容され一体的に回転可能に配設されるものとなっている。
【００３４】
また、細軸部６ｂの先端側の端面には軸線方向に突出した突起６ｋが設けられている。この突起６ｋが可動接点４のドーム状の膨出部４ａの頂部に当接した状態で配設されている。そして、回転軸６が軸線方向に押圧された際には、細軸部６ｂの軸線方向の移動により突起６ｋが可動接点４の膨出部４ａを押圧して膨出部４ａを反転させ、下方に配設された固定接点２の中央固定接点２ａと接触させてプッシュスイッチをオンさせるものとなっている。
【００３５】
図９乃至図１２に示すように、回転体７は、同じく合成樹脂等の絶縁材からなり、筒状のガイド筒部７ａと軸受け部９ｂよりも径の大きな鍔状（円板状）の回転板部７ｂとを有している。また、回転体７には、回転軸６の軸線方向に貫通する中央貫通孔７ｃが設けられており、この中央貫通孔７ｃには、中央貫通孔７ｃに連続して、回転軸６の突出部６ｊを挿通可能な貫通凹部７ｄが設けられている。また、この貫通凹部７ｄと回転軸６の回転中心に対して所定の角度を有すると共に、回転軸６が軸受け部９ｂ及び回転体７からハウジングの外部へ突出する前方側（図４における上方側）、すなわち円筒状のガイド筒部７ａ側に係止壁部７ｆを有する有底状の係合凹部７ｅが設けられている。尚、本実施例では貫通凹部７ｄと係合凹部７ｅとは、略直交する方向（略９０度）に形成されている。
【００３６】
また、貫通凹部７ｄと係合凹部７ｅは、回転軸６の一対の突出部６ｊ、６ｊに対応させて、それぞれ対向する位置に一対設けられている。そして、回転軸６の細軸部６ｂが、回転体７のガイド筒部７ａの前方側から中央貫通孔７ｃに挿通されて、回転軸６の一対の突出部６ｊ、６ｊが、回転体７の一対の貫通凹部７ｄ、７ｄに挿通されるものとなっている。そして、挿通された状態から回転軸６が所定の角度（本実施例では略９０度）回転されると、回転軸６の一対の突出部６ｊ、６ｊが、貫通凹部７ｄ、７ｄと所定の角度を有して設けられた一対の係合凹部７ｅ、７ｅの位置まで回転して、一対の係止壁部７ｆ、７ｆに係止可能な状態となる。そして、この位置で回転軸６を前方側に引き戻すと、一対の突出部６ｊ、６ｊが一対の係止壁部７ｆ、７ｆと当接して、一対の係合凹部７ｅ、７ｅに係合するものとなっている。
【００３７】
そして、回転軸６の細軸部６ｂが回転体７の中央貫通孔７ｃに挿通され、一対の突出部６ｊ、６ｊが係合凹部７ｅ、７ｅに係合された際には、回転体７が回転軸６の回転に伴い回転可能に保持されると共に、回転軸６の一対の突出部６ｊ、６ｊが係合凹部７ｅ、７ｅ内を回転軸６の軸線方向に移動可能に設けられている。このため、簡単な構成で、プッシュスイッチの押圧動作と回転検出手段の回転動作とが可能となっている。
【００３８】
そして、回転軸６は、回転軸６の突出部６ｊが回転体７の係合凹部７ｅに確実に係合して回転体７と一体的に保持されているので、回転軸６が大きな力で引っ張られた場合においても突出部６ｊが回転体７の係止壁部７ｆと当接するため抜けることが無く、回転軸６の引き抜き強度を向上させることができるものとなっている。
また、回転体７は、中央貫通孔７ｃが設けられた筒状のガイド筒部７ａと鍔状の回転板部７ｂとを有し、このガイド筒部７ａ側に係合凹部７ｅの係止壁部７ｆを形成するようにしたので、係止壁部７ｆの肉厚を厚く形成できるので、回転軸６の抜け止めを、より確実なものとすることができる。
【００３９】
また、回転軸６の突出部６ｊを回転軸６の回転中心を挟んで対向する位置に一対設けると共に、一対の突出部６ｊ、６ｊと係合する回転体７の貫通凹部７ｄと係合凹部７ｅとを、一対の突出部６ｊ、６ｊに対応させてそれぞれ対向する位置に一対設けるようにしたので、回転軸６の回転を確実に回転体７に伝達することができ、安定した回転操作が可能となると共に、回転軸６を１８０度回転させても組み込みが可能となるため、組立が容易となり、作業性が向上するものとなっている。
【００４０】
そして、回転軸６が軸線方向に押圧された際には、突起６ｋが可動接点４の膨出部４ａを押圧して、下方に配設されたプッシュスイッチをオンさせるものとなっており、この時、回転軸６の一対の突出部６ｊ、６ｊと回転体７の一対の係合凹部７ｅ、７ｅとが互いに係合する係合面の軸線方向における係合寸法（Ｌ１）は、プッシュスイッチの操作ストローク、すなわち、回転軸６の突起６ｋが可動接点４の膨出部４ａを反転させて固定接点２（中央固定接点２ａ）と当接するストローク（Ｌ２）よりも大きくなるように形成されている（Ｌ１＞Ｌ２）。（図４参照）
【００４１】
このように、本実施例では、回転軸６を軸線方向に移動可能に設けると共に、回転軸６を押圧することにより操作されるプッシュスイッチを備えており、回転軸６の突出部６ｊと回転体７の係合凹部７ｅとが互いに係合する係合面の軸線方向における係合寸法（Ｌ１）を、プッシュスイッチの操作ストローク（Ｌ２）よりも大きく形成するようにしたので、プッシュスイッチの押圧動作時においても回転軸６の突出部６ｊが回転体７の係合凹部７ｅから外れることがなく、回転軸６と回転体７との結合を確実なものとすることができる。
【００４２】
また、回転体７の回転板部７ｂの上面側（ガイド筒部７ａ側）には、ガイド筒部７ａの周囲を囲むように複数の凹凸部からなるクリック用のカム部７ｇが環状に設けられており、このクリック用のカム部７ｇがクリック用の板ばね８と摺接することで回転時のクリック感触が得られるものとなっている。また、回転板部７ｂの下面側（ガイド筒部７ａとは反対側）には、中央貫通孔７ｃの外側位置で周方向に複数のボス部７ｈ（本実施例では３個）が設けられており、このボス部７ｈに摺動子５の取付片５ｂの丸孔が挿通され、かしめ等の方法により固着されて回転体７と一体的に回転可能に取り付けられるものとなっている。
【００４３】
板ばね８は、弾性を有する薄板金属板からなり、大きな開口を有する円環状のばね部８ａと、このばね部８ａの外周部の対向する位置に設けられた略コ字状の一対の嵌合部８ｂ、８ｂとを有している。この板ばね８は、開口に回転軸６と回転体７のガイド筒部７ａが挿通され、ばね部８ａが回転体７の回転板部７ｂのクリック用のカム部７ｇと当接された状態で、ケース１の収納部１ａ上面側に形成された一対の凹溝１ｄ、１ｄ、及び突片１ｅ、１ｅに一対の嵌合部８ｂ、８ｂが嵌合され位置決めされて、取り付けられるものとなっている。
【００４４】
ケース１とともにハウジングを構成する取付板９は、すず引き鋼板等の金属板材からなり、略平板状の上板部９ａと、この上板部９ａ中央に絞り加工等で上方に延出され、回転軸６の太軸部６ａと回転体７のガイド筒部７ａを回転可能に支持（ガイド）する大きな開口を有する円筒状の軸受け部９ｂと、上板部９ａの四角部に軸受け部９ｂとは対向する方向に屈曲して垂下された複数の固定脚部９ｃ、９ｃと、同じく一対の対向する側辺部から屈曲されて垂下された一対の取付脚部９ｄ、９ｄとを有している。また、一対の取付脚部９ｄ、９ｄには、上板部９ａとの屈曲部近傍に第１取付孔９ｅが設けられ、この第１取付孔９ｅの近傍に連設して第２取付孔９ｆが設けられている。
【００４５】
この取付板９は、円筒状の軸受け部９ｂに回転軸６及び回転体７のガイド筒部７ａが挿通されて、ケース１の収納部１ａ上面側との間に板ばね８の嵌合部８ｂを挟持させた状態で、一対の取付脚部９ｄ、９ｄがケース１の対向する側面に設けられた一対のガイド溝１ｂ、１ｂに係合されると共に、突片１ｅが第１取付孔９ｅに係止され、係止突起１ｃが第２取付孔９ｆに係止されて位置決めされて係合されることにより、取付板９がケース１の開口状の収納部１ａを覆うように取り付けられるものとなっている。
【００４６】
このように構成された回転型電気部品は、操作つまみ１０を介して、回転軸６が回転操作されると、突出部６ｊと係合凹部７ｅとの係合により、回転体７が一体に回転して、摺動子５の各接触片５ｃが導電パターン３上を摺接する。また、回転軸６に軸線方向の押圧力が加えられると、回転軸６が回転体７にガイドされて移動し、突起６ｋが可動接点４を押圧して、プッシュスイッチがオンとなるように動作するものである。
【００４７】
上記した本発明の実施例によれば、回転軸６に、回転軸６の軸線方向と交差する直交方向で外方へ突出した突出部６ｊを設け、一方回転体７には、回転軸６の軸線方向に貫通する中央貫通孔７ｃと、この中央貫通孔７ｃに連続して回転軸６の突出部６ｊを挿通可能な貫通凹部７ｄと、この貫通凹部７ｄと回転軸６の回転中心に対して所定の角度を有すると共に、回転軸６が軸受け部９ｂからハウジング（取付板９）の外部へ突出する前方側に係止壁部７ｆを有する係合凹部７ｅとを設け、回転軸６を回転体７の前方側から中央貫通孔７ｃに挿通し、突出部６ｊを貫通凹部７ｄに挿通すると共に、回転軸６を所定の角度（略９０度）回転させ、回転軸６の突出部６ｊを係止壁部７ｆに係止可能な状態で係合凹部７ｅに係合させるようにしたので、回転軸６は、回転軸６の突出部６ｊが回転体７の係合凹部７ｅに確実に係合して回転体７と一体的に保持されているので、回転軸６が大きな力で引っ張られた場合においても抜けることが無く、回転軸６の引き抜き強度を向上させることができるものとなっている。
【００４８】
図１３乃至図１６は本願発明の回転体７の他の実施例を示している。
尚、上述した実施例と同一構成部分については、同一符号を付してその説明を省略する。
本実施例においては、回転体７は、同じく合成樹脂等の絶縁材からなり、筒状のガイド筒部７ａと鍔状（円盤状）の回転板部７ｂとを有しており、回転体７には、回転軸６の軸線方向に貫通する中央貫通孔７ｃが設けられ、この中央貫通孔７ｃには、中央貫通孔７ｃに連続して、回転軸６の突出部６ｊを挿通可能な貫通凹部７ｄが設けられている点、及び、この貫通凹部７ｄと回転軸６の回転中心に対して所定の角度を有すると共に、回転軸６が軸受け部９ｂからハウジングの外部へ突出する前方側、すなわち円筒状のガイド筒部７ａ側に係止壁部７ｆを有する係合凹部７ｅが設けられている点においては、上述した実施例と同一の構成である。
【００４９】
そして、上述した実施例と同様に、貫通凹部７ｄと係合凹部７ｅは、回転軸６の一対の突出部６ｊ、６ｊに対応させて、それぞれ対向する位置に一対設けられている。そして、回転軸６の細軸部６ｂが、回転体７のガイド筒部７ａの前方側から中央貫通孔７ｃに挿通されて、回転軸６の一対の突出部６ｊ、６ｊが、回転体７の一対の貫通凹部７ｄ、７ｄに挿通されるものとなっている。そして、挿通された状態から回転軸６が所定の角度（本実施例では略９０度）回転されると、回転軸６の一対の突出部６ｊ、６ｊが、貫通凹部７ｄ、７ｄと所定の角度を有して設けられた一対の係合凹部７ｅ、７ｅの位置まで回転して、一対の係止壁部７ｆ、７ｆに係止可能な状態で一対の係合凹部７ｅ、７ｅに係合するものとなっている。
【００５０】
また、回転体７の中央貫通孔７ｃの回転板部７ｂ側には、回転軸６を回転させる周方向に沿って貫通凹部７ｄ、７ｄと係合凹部７ｅ、７ｅとの中間位置に、貫通凹部７ｄ、７ｄに挿通された回転軸６を所定の角度（本実施例では９０度）回転させた時に、回転軸６の一対の突出部６ｊ、６ｊと当接して、回転軸６の回転を規制する規制部７ｉ、７ｉが設けられている。このように、回転体７に回転軸６の回転を規制する規制部７ｉ、７ｉが設けられている点において本実施例では上述した実施例と一部構成が相違している。
【００５１】
また、この規制部７ｉ、７ｉは、回転軸６の一対の突出部６ｊ、６ｊに対応させて対向する位置に一対設けられたものとなっている。また、この規制部７ｉ、７ｉは、回転軸６の軸線方向に延びる円弧状の凸部で形成されており、この円弧状の凸部が、対向する一対の貫通凹部７ｄ、７ｄと係合凹部７ｅ、７ｅのどちらか一方の中間位置の全領域にわたって一対設けられたものとなっている。
すなわち、図１４に示すように、一対の規制部７ｉ、７ｉは、円弧状の凸部の周方向の一端側（図１４では時計回り方向の端部）に位置する一側面７ｊが、一方の貫通凹部７ｄの周方向の一側面７ｌと同一平面となるように形成されており、且つ、これとは反対側に位置する円弧状の凸部の周方向の他端側（図１４では反時計回り方向の端部）に位置する他側面７ｋが、一方の係合凹部７ｅの周方向の一側面７ｍと同一平面となるように形成されたものとなっている。このように、円弧状の凸部は、一方の貫通凹部７ｄと一方の係合凹部７ｅとの互いに隣り合っている一側面７ｌと７ｍとの間の全領域にわたって設けられている。
【００５２】
そして、回転軸６の細軸部６ｂが、回転体７のガイド筒部７ａの前方側から中央貫通孔７ｃに挿通されて、回転軸６の一対の突出部６ｊ、６ｊが、回転体７の一対の貫通凹部７ｄ、７ｄに挿通された時、一対の突出部６ｊ、６ｊの周方向の一端側が、一対の規制部７ｉ、７ｉの円弧状の凸部の周方向の一側面７ｊ、７ｊに当接されて、この一側面７ｊ側への回転が規制され、この当接した規制部７ｉ，７ｉとは対向する位置に設けられた規制部７ｉ、７ｉの円弧状の凸部の周方向の他側面７ｋ、７ｋ側への回転のみ可能な状態で係合されるものとなっている。
【００５３】
そして、突出部６ｊ、６ｊが貫通凹部７ｄ、７ｄに挿通された状態から回転軸６が所定の角度（本実施例では略９０度）回転されると、回転軸６の一対の突出部６ｊ、６ｊが、貫通凹部７ｄ、７ｄと所定の角度を有して設けられた一対の係合凹部７ｅ、７ｅの位置まで回転する。このとき、一対の突出部６ｊ、６ｊの周方向の他端側が、一対の規制部７ｉ、７ｉの円弧状の凸部の周方向の他側面７ｋ、７ｋに当接されて、その以上の回転が規制されるものとなる。そして、この状態から、回転軸６を前方側に引きもどすことにより、回転軸６の一対の突出部６ｊ、６ｊが、一対の係止壁部７ｆ、７ｆに当接して係止可能な状態となり、一対の係合凹部７ｅ、７ｅに係合するものとなっている。
【００５４】
上記した本発明の他の実施例によれば、回転体７に、回転軸６を回転させる周方向に沿って貫通凹部７ｄと係合凹部７ｅとの中間位置に、貫通凹部７ｄに挿通された回転軸６を所定角度回転させた時に突出部６ｊと当接して回転軸６の回転を規制する規制部７ｉを設けるようにしたので、回転軸６を回転体７に組み込むために、回転軸６を回転体７に対して回転させるとき、所定角度回転させるとそれ以上の回転が規制されるため、回転軸６が係合凹部７ｅを越えて回りすぎることがなく、回転軸６を引っ張りながら回転させる必要がないので、簡単に位置合わせが行え組立性の良好なものが得られるものとなっている。
また、規制部７ｉ、７ｉは、一対の突出部６ｊ、６ｊに対応させて対向する位置に一対設けられた回転軸６の軸線方向に延びる凸部からなり、貫通凹部７ｄと係合凹部７ｅとの中間位置の全領域にわたって設けられているので、回転軸６を回転体７の前方側から中央貫通孔７ｃに挿通した状態においては、回転軸６は一方向にしか回転できないものとなり、さらに組立性が向上されるものとなっている。
尚、上記した実施例においては、導電パターンとして、コモンパターンとコードパターンを備えたもので説明したが、本発明はこれに限られるものではない。すなわち、導電パターンとして、抵抗体と集電体を有する回転型の可変抵抗器に本発明を適用したものであってもよい。
【図面の簡単な説明】
【００５５】
【図１】本発明の回転型電気部品を示す分解斜視図である。
【図２】本発明の回転型電気部品を示す平面図である。
【図３】本発明の回転型電気部品を示す正面図である。
【図４】本発明の回転型電気部品を示す断面図である。
【図５】本発明の回転型電気部品の回転軸を示す正面図である。
【図６】本発明の図５の左側面図である。
【図７】本発明の図５の右側面図である。
【図８】本発明の図７の８−８線における断面図である。
【図９】本発明の回転型電気部品の回転体を示す正面図である。
【図１０】本発明の図９の右側面図である。
【図１１】本発明の図１０の１１−１１線における断面図である。
【図１２】本発明の図１０の１２−１２線における断面図である。
【図１３】本発明の回転体の他の実施例を示す斜視図である。
【図１４】本発明の図１３に示す回転体の側面図である。
【図１５】本発明の図１４の１５−１５線における断面図である。
【図１６】本発明の図１４の１６−１６線における断面図である。
【図１７】従来の回転型電気部品を示す断面図である。
【図１８】従来の駆動体と操作軸を示す分解斜視図である。
【符号の説明】
【００５６】
１：ケース（ハウジング）
１ａ：収納部
１ｂ：ガイド溝
１ｃ：係止突起
１ｄ：凹溝
１ｅ：突片
２：固定接点
２ａ：中央固定接点
２ｂ：周辺固定接点
２ｃ：接続端子
２ｄ：接続端子
３：導電パターン
３ａ：コモンパターン
３ｂ：コードパターン
３ｃ：接続端子
３ｄ：接続端子
４：可動接点
４ａ：膨出部
４ｂ：外周縁部
５：摺動子
５ａ：基部
５ｂ：取付片
５ｃ：接触片
６：回転軸
６ａ：太軸部
６ｂ：細軸部
６ｃ：段部
６ｄ：平坦面
６ｅ：円弧状部
６ｆ：直線状部
６ｇ：つまみ取付部
６ｈ：中央凹部
６ｉ：内壁部
６ｊ：突出部
６ｋ：突起
７：回転体
７ａ：ガイド筒部
７ｂ：回転板部
７ｃ：中央貫通孔
７ｄ：貫通凹部
７ｅ：係合凹部
７ｆ：係止壁部
７ｇ：カム部
７ｈ：ボス部
７ｉ：規制部（円弧状凸部）
７ｊ：一側面（規制部）
７ｋ：他側面（規制部）
７ｌ：一側面（貫通凹部）
７ｍ：一側面（係合凹部）
８：板ばね
８ａ：ばね部
８ｂ：嵌合部
９：取付板（ハウジング）
９ａ：上板部
９ｂ：軸受け部
９ｃ：固定脚部
９ｄ：取付脚部
９ｅ：第１取付孔
９ｆ：第２取付孔
１０：操作つまみ
【図１】
2007201415.tif 000003
【図２】
2007201415.tif 000004
【図３】
2007201415.tif 000005
【図４】
2007201415.tif 000006
【図５】
2007201415.tif 000007
【図６】
2007201415.tif 000008
【図７】
2007201415.tif 000009
【図８】
2007201415.tif 000010
【図９】
2007201415.tif 000011
【図１０】
2007201415.tif 000012
【図１１】
2007201415.tif 000013
【図１２】
2007201415.tif 000014
【図１３】
2007201415.tif 000015
【図１４】
2007201415.tif 000016
【図１５】
2007201415.tif 000017
【図１６】
2007201415.tif 000018
【図１７】
2007201415.tif 000019
【図１８】
2007201415.tif 000020